(57)【要約】      （修正有）【課題】背中が被覆体とぶつかるショックを避け、心地よく背中を支持する背もたれ用クッション構造を提供する。【解決手段】第一表面及び第二表面を有する被覆体を含み、且つ被覆体の中に相互結合する緩衝材および充填材を設置し、緩衝材は被覆体の第一表面に結合し、充填材は、被覆体の第二表面に結合され、且つ第二表面には位置決め装置が結合されている。位置決め装置によって、被覆体を椅子の背もたれ或いは支持体の任意の箇所に位置決めできる。【選択図】図１
0003156499.tif 000002
【実用新案登録請求の範囲】
【請求項１】
背もたれ用クッションであって、
被覆体と、緩衝材と、充填材と、位置決め装置と、を含み、
前記被覆体は、収容スペースを備え、且つ第一表面及び第二表面を有し、
前記緩衝材は、被覆体の収容スペースの中に収容され、緩衝材と被覆体の第一表面は相互結合していて、
前記充填材は、被覆体の収容スペースの中に収容され、充填材の片方の表面は緩衝材と結合し、もう一方の表面は被覆体の第二表面と結合し、
前記位置決め装置は、被覆体の第二表面に固定されていることを特徴とする背もたれ用クッションの構造。
【請求項２】
背もたれ用クッションであって、
被覆体と、緩衝材と、充填材と、位置決め装置と、を含み、
前記被覆体は、収容スペースを備え、且つ第一表面及び第二表面を有し、前記第二表面には開閉口が設置され、
前記緩衝材は、被覆体の収容スペースの中に収容され、緩衝材と被覆体の第一表面は相互結合していて、
前記充填材は、被覆体の収容スペースの中に収容され、充填材の片方の表面は緩衝材と結合し、もう一方の表面は被覆体の第二表面と結合し、
前記位置決め装置は、第一位置決め表面及び第二位置決め表面を有し、
位置決め装置の第一位置決め表面は被覆体の第二表面と結合することによって、第二表面の開閉口を閉鎖させ、且つ前記位置決め位置を被覆体の第二表面に結合するとき、少なくとも一辺が開放側であり、その他の辺縁は、閉鎖側であることを特徴とする背もたれ用クッションの構造。
【請求項３】
前記緩衝材はシリコン、ゴム、或いはエマルジョン、又はＰＵ樹脂であることを特徴とする請求項１或いは請求項２に記載の背もたれ用クッションの構造。
【請求項４】
前記被覆体の第二表面は粗面であり、位置決め装置の第一位置決め表面は面ファスナーのカギ面であり、第一位置決め表面と被覆体の第二表面は相互に付着できることを特徴とする請求項２に記載の背もたれ用クッションの構造。
【考案の詳細な説明】
【技術分野】
【０００１】
本考案は背もたれ用クッションの構造に関し、特に、緩衝材料によって背中をもたれかける時の力を吸収し、背中の不快感を避けることの出来る背もたれ用クッションの構造に関する。
【背景技術】
【０００２】
一般に長時間座って勤務するビジネスマンは、長時間座ったままの姿勢を快適にするため、背もたれ用クッションを買って腰や背中の脊髄曲線を支えることが多い。
市販されている背もたれ用クッションの種類は数多くあり、直接人体脊髄曲線をまねて制作された背もたれ用クッション、或いは調整機構を持った背もたれ用クッション等があるが、現在市販されているクッション類には、下記のような欠点がある。
【０００３】
１）一人一人の体つきや座る姿勢は皆異なり、人体脊髄曲線をまねた背もたれ用クッションを買入しても、それぞれ各人に対する支持効果を達成することは出来ない。
２）従来の背もたれ用クッションは、主として発泡スポンジを支持体としており、体をもたれかかった時の力を吸収することが出来ず、支持体が硬すぎるか或いは軟らかすぎる場合、背中の傷害を招き易い。
【０００４】
これによって分かるように、上述した従来の物品は、尚幾多の欠点があり、よい設計とは言いがたく、改良が待たれていた。
本案考案者は、上述背もたれ用クッションに派生する各項の欠点に鑑み、極力新規改善を試み、且つ長年苦心研鑽の末、ついに本件背もたれ用クッションの構造の研究開発に成功した。
【考案の概要】
【考案が解決しようとする課題】
【０００５】
本考案の目的は、緩衝材料によって背中をもたれかかった時の力を吸収し、背中の傷害を避けることが出来るほか、快適な支持効果を達成できる背もたれ用クッションの構造を提供することにある。
本考案の次の目的は、被覆体の第二表面に位置決め装置を結合し、ユーザーが自分の欲する支持ポイントに応じて、被覆体を椅子の背もたれの適当な位置に位置決めし、背中を正確に支持する目的を達成できるような背もたれ用クッションを提供することにある。
【課題を解決するための手段】
【０００６】
上述した本考案の目的を達成する背もたれ用クッションの構造は、被覆体と、緩衝材と、充填材及び位置決め装置を含む。前記被覆体には収容スペースがあり、且つ第一表面及び第二表面を有する。前記緩衝材及び充填材は、被覆体の収容スペースの中に置かれることによって、被覆体を充満させ、且つ前記緩衝材及び充填材の片方の表面は、相互に結合し、緩衝材の別の表面は被覆体の第一表面と結合している。又、充填材の別の表面は、被覆体の第二表面と結合している。前記位置決め装置は、被覆体の第二表面と結合している。ユーザーは、自分の欲する支持部位に応じて、位置決め装置によって被覆体を椅子の背もたれの適当な位置に位置決めし、緩衝材によって体をもたれかかるときの力を吸収し、背中が被覆体とぶつかることによって傷害を受けることを避け、背中を心地よく支持する目的を達成する。
【考案の効果】
【０００７】
本考案に係る背もたれ用クッションの構造は、その他従来の技術に比べ、更に下記のような長所がある。
（１）本考案は、緩衝材料によって背中をもたかかった時の力を吸収し、背中の傷害を避けることが出来るほか、快適な支持効果を達成できる。
（２）本考案は、被覆体の第二表面に位置決め装置を結合し、ユーザーは、自分の欲する支持部位に応じて、被覆体を椅子の背もたれの適当な位置に位置決めし、背中を正確に支持する目的を達成できる。
【図面の簡単な説明】
【０００８】
【図１】本考案に係る背もたれ用クッション構造の斜視図である。
【図２】本考案に係る背もたれ用クッション構造の部分結合図である。
【図３】本考案に係る背もたれ用クッション構造の斜視図である。
【図４】本考案に係る背もたれ用クッション構造の斜視図である。
【図５】本考案に係る背もたれ用クッション構造の断面略図である。
【図６】本考案に係る背もたれ用クッション構造の実施図である。
【図７Ａ】本考案に係る背もたれ用クッション構造の別の実施図である。
【図７Ｂ】本考案に係る背もたれ用クッション構造の別の実施図である。
【図８】本考案に係る背もたれ用クッション構造のもう一つの実施図である。
【図９Ａ】本考案に係る背もたれ用クッション構造の操作略図である。
【図９Ｂ】本考案に係る背もたれ用クッション構造の操作略図である。
【考案を実施するための形態】
【０００９】
以下、本考案の実施の形態を図面に基づいて説明する。
【実施例】
【００１０】
図１から図５は、本考案に係る背もたれ用クッションの構造を示す。
本考案に係る背もたれ用クッションは、主として、被覆体１と、緩衝材２と、充填材３と、位置決め装置４と、を含む。
【００１１】
前記被覆体１は、収容スペースを備え、且つ第一表面１１及び第二表面１２を有する。前記第二表面１２に開閉口１２１を設置する。前記第二表面１２１は粗面であってよい。
尚、前記被覆体１は、織物、或いは弾力性編み物で作られたものであってよい。
【００１２】
前記緩衝材２は振動吸収及び緩衝特性を有する。緩衝材２は必要に応じて網状或いは格子状、又は平織状の形でもよい。
前記緩衝材２を被覆体１の収容スペースの中に収容し、緩衝材２と被覆体１の第一表面１１を結合させる。
尚、前記緩衝材２は、シリコン或いはゴム、又はエマルジョンやＰＵ樹脂、或いはその他弾力性の材料で製作してもよい。
【００１３】
前記充填材３は、発泡スポンジ、人造綿或いは天然綿で製作されている。
充填材３を被覆体１の収容スペースの中に収容し、充填材３の片方の表面を緩衝材２と結合させ、別の表面を被覆体１の第二表面１２と結合させ、被覆体１の収容スペースを緩衝材２及び充填材３によって充満させる。
【００１４】
前記位置決め装置４は、第一位置決め表面４１及び第二位置決め表面４２を有する。位置決め装置４の第一位置決め表面４１を被覆体１の第二表面１２に結合することによって、第二表面１２の開閉口１２１を閉鎖させる。前記位置決め装置４を被覆体１の第二表面１２に結合するとき、少なくとも一方の縁が開放側４３となり、その他の縁は全て閉鎖側４４となっている。
尚、前記位置決め装置４の第一・第二位置決め表面４１・４２は、面ファスナー状のカギ面４１１・４２１であってよい。
第一位置決め表面４１が被覆体１の第二表面１２の粗面に付着し、且つ位置決め装置４の開放側４３によって、第一位置決め表面４１を被覆体１の第二表面１２から離脱させ、第二表面１２の開閉口１２１を露出させて、緩衝材２及び充填材３を取り出し、それぞれ被覆体１、緩衝材２、或いは充填材３の清掃又はクリーニングを行う。
【００１５】
図６は、本考案の別の実施略図である。
前記被覆体１が皮製、或いはその他非粗面材料で作られた場合は、第二表面１２の開閉口１２１のそばに粗面を有する結合部品５を固定する。前記結合部品５を位置決め装置４の開放側４３と対応させることによって、前記位置決め装置４の開放側４３を結合部品５と相互に付着させ、被覆体１の第二表面１２の開閉口１２１を閉鎖させる。
【００１６】
図７Ａ，Ｂは、本考案のもう一つの実施略図である。
前記緩衝材２及び被覆体１が結合する表面に突起物２１を設置し、ユーザーが被覆体１の上にもたれかかるときは、突起物によってマッサージの効果を達成できる。
【００１７】
図８は、本考案の又もう一つ別の実施略図である。
前記位置決め装置４は、ゴムバンド４５であってもよい。
前記ゴムバンド４５は、被覆体１の第二表面１２に結合される。緩衝材２及び充填材３で充満した被覆体１はゴムバンド４５によって椅子の背もたれ又は支持体に固定することが出来る。
【００１８】
図５及び図９Ａ，Ｂは、本考案の操作略図である。
ユーザー６は、自分の欲する支持ポイントの部位に応じて、位置決め装置４の第二位置決め表面４２によって、前記緩衝材２及び充填材３で充満した被覆体１を椅子７の背もたれ７１、或いは支持体８の適当な位置に位置決めすることが出来る。
ユーザー６が椅子７にもたれかかるときは、被覆体１の中の緩衝材２によってユーザー６がもたれかかる時の力を吸収し、ゆっくり被覆体１の上にもたれかかり、背中と被覆体１がぶつかるショックを抑え、背中が傷害を受けることを避け、背中を心地よく支持する目的を達成できる。
【符号の説明】
【００１９】
１    被覆体
１１  第一表面
１２  第二表面
２    緩衝材
２１  突起物
３    充填材
４    位置決め装置
４１  第一位置決め表面
４１１  カギ面
４２  第二位置決め表面
４２１  カギ面
４３  開放側
４４  閉鎖側
４５  ゴムバンド
５    結合部品
６    ユーザー
７    椅子
７１  椅子の背もたれ
８    支持体
【図１】
0003156499.tif 000003
【図２】
0003156499.tif 000004
【図３】
0003156499.tif 000005
【図４】
0003156499.tif 000006
【図５】
0003156499.tif 000007
【図６】
0003156499.tif 000008
【図７Ａ】
0003156499.tif 000009
【図７Ｂ】
0003156499.tif 000010
【図８】
0003156499.tif 000011
【図９Ａ】
0003156499.tif 000012
【図９Ｂ】
0003156499.tif 000013